【事件の表示】
　平成１０年特許願第９５１０３号「乾式トナーおよび画像形成方法」拒絶査定不服審判事件〔平成１１年１０月２９日出願公開、特開平１１−２９５９３０〕について、次のとおり審決する。
【結　論】
　本件審判の請求は、成り立たない。
【理　由】
１．手続の経緯・本願発明
 　本願は、平成１０年４月８日の出願であって、その請求項１ないし９に係る発明は、平成１６年８月１６日付けの手続補正書によって補正された明細書及び図面の記載からみて、その特許請求の範囲の請求項１ないし９に記載された事項により特定されるとおりのものであり、請求項１に係る発明は次のとおりのものと認める。
「カーボンブラックを含有しているトナー粒子を有する乾式トナーにおいて、
１）前記カーボンブラックをトルエン還流下にて１０時間固液抽出することにより得られるトルエン可溶分が、カーボンブラック全重量の０〜１０ｐｐｍであり、
２）前記カーボンブラックのトルエン可溶分をＣＤＣｌ3中にて測定した1Ｈ−ＮＭＲのシグナルにおいて０．２から１０ｐｐｍの範囲に検出されるシグナルの総面積のうち、６．５ｐｐｍ（δ）以上の範囲に検出されるシグナルの総面積が０〜２％であることを特徴と
する乾式トナー。」（以下、「本願発明１」という。）
　
２．引用刊行物記載の発明
　原査定の拒絶の理由に引用された、本願出願前に頒布された刊行物である、刊行物１ないし３には以下の事項がそれぞれ記載されている。
（刊行物１：特開平５−２４９７３３号公報（原査定の引用文献９）の記載事項）
(1a)「【請求項１】少なくとも樹脂及び着色剤を有するトナーであって、（１）ＴＨＦ可溶分のゲルパーミエーションクロマトグラフィー（ＧＰＣ）に依る分子量分布において、分子量３，０００以下の領域が５％〜３０％存在し、（２）重合性単量体及び／或は有機溶剤含有量が１，０００ｐｐｍ以下である事を特徴とする静電荷像現像用トナー。
【請求項２】水性懸濁液中で、懸濁重合法により製造されたものであることを特徴とする請求項１に記載の静電荷像現像用トナー。」
(1b)「【００２３】本発明で用いられる着色剤としては、公知のものが使用でき、カーボンブラック・・・等の顔料がある。本発明においては重合法を用いてトナーを得るため、着色剤の持つ重合阻害性や水相移行性に注意を払う必要があり、好ましくは表面改質、例えば重合阻害の無い物質に依る疎水化処理を施しておいたほうが良い。特に、染料系やカーボンブラックは重合阻害性を有しているものが多いので、使用の際には注意を要する。」
(1c)「【００３９】前記条件下では重合転化率９０％まではほぼ直線的に転化率は上がるが、トナーが固形化する９０％以上では重合度の上昇が鈍り、重合転化率９５％以上では非常に遅くなる。そのまま重合反応を進めて残留重合性単量体量を、１，０００ｐｐｍ以下となるよう操作しても良いが、従来懸濁重合法で公知の重合性単量体消費促進手段を使用出来る。」
(1d)「【００４４】最終的には、少なくとも１０００ｐｐｍ以下、定着時に発生する重合性単量体及びその反応残渣、或は溶剤に依る異臭を感じなくするためには、より望ましくは１００ｐｐｍ以下にする。」
　
（刊行物２：特開平３−１５８５９号公報（原査定の引用文献８）の記載事項）
(2a)「一般にカーボンブラック等の着色性顔料は遊離ラジカルと非常に活発に反応し、ラジカル重合の禁止剤あるいは遅延剤として働く（日本ゴム協会誌第４９巻、９００頁、１９７６年）。それゆえ懸濁重合法を用いる重合トナーの製造では、そのような悪影響を及ぼさない顔料が要求されている。」（第３頁左上欄第８行目〜第１４行目）
　
（刊行物３：日本ゴム協会誌　第４９巻　第１２号（１９７６）　Ｐ．900〜907（原査定の引用文献１２）の記載事項）
(3a)「カーボンブラック粒子表面の酸素含有基とスチレンの熱重合」と題する報文であって、カーボンブラックはスチレンの熱重合の禁止剤として作用すること、カーボンブラック粒子表面のキノン基やキノンラジカル、さらにはヒドロキノン基のほかに、重合を禁止する作用点があることが推理され、カーボンブラック粒子表面の芳香族環が比較的分子量の小さいポリマーラジカルを捕らえる反応も考えられ、図４は、アントラセンの存在下におけるスチレンの熱重合を窒素雰囲気下で調べたものであるが、重合曲線は明らかに誘導期を持つ遅延型であったことが記載されている。（第９０４頁右欄下から第３行目〜第９０５頁左欄第８行目、図４）
　
３．対比
　上記刊行物１の記載事項から、刊行物１には、「少なくとも樹脂及び着色剤を有するトナーであって、（１）ＴＨＦ可溶分のゲルパーミエーションクロマトグラフィー（ＧＰＣ）に依る分子量分布において、分子量３，０００以下の領域が５％〜３０％存在し、（２）重合性単量体及び／或は有機溶剤含有量が１，０００ｐｐｍ以下である静電荷像現像用トナー。」の発明（以下、「刊行物１発明」という。）が記載されているところ、本願請求項１に係る発明と刊行物１発明とを比較する。
(ア）刊行物１発明の「静電荷像現像用トナー」は、本願発明１の「乾式トナー」に相当する。
(イ）刊行物１には、着色剤としてカーボンブラックが使用できることが記載されている。
　したがって、本願発明１と刊行物１発明との間には、以下のような一致点及び相違点がある。
　
（一致点）
　カーボンブラックを含有しているトナー粒子を有する乾式トナーである点。
（相違点１）
　本願発明１のカーボンブラックは、１）トルエン還流下にて１０時間固液抽出することにより得られるトルエン可溶分が、カーボンブラック全重量の０〜１０ｐｐｍであり、
２）カーボンブラックのトルエン可溶分をＣＤＣｌ3中にて測定した1Ｈ−ＮＭＲのシグナルにおいて０．２から１０ｐｐｍの範囲に検出されるシグナルの総面積のうち、６．５ｐｐｍ（δ）以上の範囲に検出されるシグナルの総面積が０〜２％であるのに対して、刊行物１発明は、カーボンラックの特性が規定されていない点。
　
４．判断
（相違点１について）
　刊行物１（上記(1b)）には、カーボンブラックは重合阻害性を有しているものが多いので、使用の際には注意を要することが記載されている。さらに、刊行物２にも、カーボンブラックがラジカル重合禁止剤として作用することが記載され、刊行物２で引用された刊行物３には、カーボンブラック粒子表面のキノン基やキノンラジカル、ヒドロキノン基のほかに、重合を禁止する作用点があることが推理され、カーボンブラック粒子表面の芳香族環が比較的分子量の小さいポリマーラジカルを捕らえる反応も考えられることが記載されている。
　そうすると、刊行物１発明において、カーボンブラックとして、重合阻害性のないものを選択して使用することは、当業者が当然に考えることであり、そのために、カーボンブラックとして、粒子表面のキノン基、キノンラジカル、ヒドロキノン基、芳香族環を有する不純物ができる限り少ないものを使用することは、当業者が容易に想到し得たものといえる。
　そして、カーボンブラックの「トルエン着色透過度」は、含有される未分解有機物である不純物の量を示す規格として、本願出願前によく知られたものであり、上記不純物の量を少なくする際に、トルエン可溶分の量をできるだけ少なくすることに何ら困難性はない。
　さらに、特開平８−２６９３６０号公報（【０００３】）、特開平９−８７５４３号公報（【０００４】）には、トナー用のカーボンブラック中の芳香族炭化水素の含有量をトルエン抽出液の紫外線吸光度で測定し、所定以下の極少ないものとして、トナー特性を向上させること、特開平６−１７５４０３号公報、特開平６−１７５４０４号公報には、トナー用のカーボンブラックのトルエン抽出液の紫外線吸収を低いものして、帯電安定性、連続使用や環境変化でも帯電特性の変化が少ないトナーを得られることが記載されているように、カーボンブラックに不純物として芳香族炭化水素が含まれていること、そして、トナー用のカーボンブラックでは、トナー性能等を良くするために、芳香族炭化水素の含有量をできるだけ少なくすることは、本願出願前に周知であったといえる。
　そして、１Ｈ−ＮＭＲスペクトルにおいて、ベンゼン環が、ケミカルシフト６．９〜７．５ｐｐｍ付近にピークを有することは、本願出願前に周知であるから、トナー用のカーボンブラックの芳香族炭化水素の含有量を少なくするにあたり、１Ｈ−ＮＭＲスペクトルにおいて、６．５ｐｐｍ以上の範囲のシグナルの総面積をできるだけ小さくすることに何ら困難性はない。
　そうすると、刊行物１発明において、カーボンブラックとして、１）トルエン還流下にて１０時間固液抽出することにより得られるトルエン可溶分が、カーボンブラック全重量の０〜１０ｐｐｍであり、２）カーボンブラックのトルエン可溶分をＣＤＣｌ3中にて測定した1Ｈ−ＮＭＲのシグナルにおいて０．２から１０ｐｐｍの範囲に検出されるシグナルの総面積のうち、６．５ｐｐｍ（δ）以上の範囲に検出されるシグナルの総面積が０〜２％のものを用いることは、当業者が容易になし得たものといえる。
　そして、本願発明の効果は、刊行物１ないし３、及び上記周知技術から予測し得たものであり、格別に顕著なものともいえない。
　
  ５．むすび
　以上のとおり、本願請求項１に係る発明は、刊行物１ないし３に記載された発明、及び周知技術に基づいて当業者が容易に発明をすることができたものであるから、特許法第２９条第２項の規定により特許を受けることができない。
　したがって、請求項２ないし９に係る発明についての判断を示すまでもなく、本願は拒絶すべきものである。
　よって、結論のとおり審決する。